(57)【要約】      （修正有）【課題】簡易な構成でもって、取扱い易く、より安全に消火作業を行うことが可能な消火剤放出器具を提供する。【解決手段】使用者の少なくとも何れか一方の手により保持される消火剤放出器具であって、内部に消火剤が収容された容器部と、消火剤を外部に放出するための放出部１２と、を備え、容器部は、容器部本体１１ａと、容器部本体の上方に向かって開口し、放出部が着脱可能に取り付けられる開口部１１ｂと、を有し、容器部本体は、袋体であり、放出部は、その内部が、開口部に取付けられる基端から先端に向かうに伴って、先細り形状となされたノズルである。【選択図】図４
0003231489.tif 000002
【実用新案登録請求の範囲】
【請求項１】
使用者の少なくとも何れか一方の手により保持される消火剤放出器具であって、
内部に消火剤が収容された容器部と、前記消火剤を外部に放出するための放出部と、を備え、
前記容器部は、容器部本体と、前記容器部本体の上方に向かって開口し、前記放出部が着脱可能に取り付けられる開口部と、を有し、
前記容器部本体は、袋体であり、
前記放出部は、その内部が、前記開口部に取付けられる基端から先端に向かうに伴って、先細り形状となされたノズルである、消火剤放出器具。
【請求項２】
前記消火剤には、ゲル化剤が含まれている、請求項１に記載の消火剤放出器具。
【請求項３】
前記容器部を、内部に水が収容された容器に取付ける取付け手段を備える、請求項１又は２に記載の消火剤放出器具。
【請求項４】
前記容器部及び前記放出部を収容する収容袋を備える、請求項３に記載の消火剤放出器具。
【請求項５】
前記取付け手段は、前記収容袋に設けられた挿通孔である、請求項４に記載の消火剤放出器具。
【考案の詳細な説明】
【技術分野】
【０００１】
本考案は、小型の消火剤放出器具に関するものである。
【背景技術】
【０００２】
従来から、家庭やオフィス、工場等で火災が発生した場合に、人が持ち運んで初期火災を消火するための道具として、例えば、粉末等を放出する消火器が用いられてきた。
【０００３】
しかし、粉末消火器や泡消火器は、短時間の使用であっても、大量の消火剤が放出されるため、出火箇所のみならず、その周囲が広範囲に汚損される。そのため、小火を消す目的に対して被る損害が大きくなってしまう。
また、粉末消火器や泡消火器は、消火剤の放出時において使用者が受ける反動が大きく、高齢者や幼児には扱いが難しい、という問題もあった。
【０００４】
このような問題点を解決するために、小火を消す目的のため、より簡易に構成された、消火器具が、種々提案されている。
【０００５】
例えば、特許文献１には、トリガー式スプレーヤーと、内部に消火剤が収容され、ポリプロピレン等のプラスチックで構成された容器本体と、を備えた、消火器具が記載されている。
【０００６】
また、特許文献２には、ノズルやフレーム、固定ホルダ、ガスボンベ等により構成されたスプレー部と、清涼飲料水等の空きプラスチック容器により構成された容器と、を備えた、消火器具が記載されている。
【先行技術文献】
【特許文献】
【０００７】
【特許文献１】特開２０１７−５１４７２号公報
【特許文献２】実用新案登録第３０３１７６１号公報
【考案の概要】
【考案が解決しようとする課題】
【０００８】
しかしながら、特許文献１や特許文献２に記載の消火器具は、何れもトリガーの押圧により消火剤を噴霧するスプレー式のものであり、消火剤を拡散させることができるものの、長距離の噴射を行うことができない。
このため、これらの消火器具の使用者は、火災が発生した際、出火箇所にある程度接近して消火作業を行わなくてはならず、これに伴い火傷等の外傷を被る危険がある、という問題があった。
【０００９】
本考案は上記のような実状に鑑みてなされたものであり、簡易な構成でもって、取扱い易く、より安全に消火作業を行うことが可能な消火剤放出器具を提供することを課題とする。
【課題を解決するための手段】
【００１０】
上記課題を解決するために、本考案は、使用者の少なくとも何れか一方の手により保持される消火剤放出器具であって、
内部に消火剤が収容された容器部と、前記消火剤を外部に放出するための放出部と、を備え、
前記容器部は、容器部本体と、前記容器部本体の上方に向かって開口し、前記放出部が着脱可能に取り付けられる開口部と、を有し、
前記容器部本体は、袋体であり、
前記放出部は、その内部が、前記開口部に取付けられる基端から先端に向かうに伴って、先細り形状となされたノズルである。
【００１１】
本考案によれば、放出部が、先細り形状となされたノズルであることで、袋体の容器部本体を押圧するのみで、容易に消火剤を遠方に射出することができる。
これにより、消火作業を行う使用者は、消火対象の火と、凡そ２ｍ以上の距離を取ることができ、安全に消火作業を行うことが可能となる。
【００１２】
本考案の好ましい形態では、前記消火剤には、ゲル化剤が含まれている。
【００１３】
このような構成とすることで、火がゲルの粘性により消火剤に包まれるように消火され、また、壁面に向かって消火剤を放出した際、重力で地面に落ちることなく、壁面に付着し残存することから、本消火剤放出器具の消火能力が向上する。
【００１４】
本考案の好ましい形態では、前記容器部を、内部に水が収容された容器に取付ける取付け手段を備える。
【００１５】
このような構成とすることで、使用者は、火災が発生した際に、迅速に容器部の内部に水を注ぎこみ、本消火剤放出器具を用いた消火作業を行うことが可能となる。
【００１６】
本考案の好ましい形態では、前記容器部及び前記放出部を収容する収容袋を備える。
【００１７】
このような構成とすることで、本消火剤放出器具の、不使用時における持ち運びや収納等の利便性が向上する。
【００１８】
本考案の好ましい形態では、前記取付け手段は、前記収容袋に設けられた挿通孔である。
【００１９】
このような構成とすることで、使用者は、本消火剤放出器具を、容器部や放出部をまとめて、その重みでもって、内部に水が収容された容器に安定的に吊り下げておくことができる。
【考案の効果】
【００２０】
本考案によれば、簡易な構成でもって、取扱い易く、より安全に消火作業を行うことが可能な消火剤放出器具を提供することができる。
【図面の簡単な説明】
【００２１】
【図１】本考案の実施形態に係る消火剤放出器具の分解斜視図である。
【図２】本考案の実施形態に係る消火剤放出器具の不使用時の状態を示す斜視図である。
【図３】本考案の実施形態に係る消火剤放出器具の不使用時の状態を示す斜視図である。
【図４】本考案の実施形態に係る消火剤放出器具の使用方法の説明図である。
【図５】本考案の実施形態に係る消火剤放出器具の使用方法の説明図である。
【考案を実施するための形態】
【００２２】
以下、図面を用いて、本考案の実施形態に係る消火剤放出器具について説明する。
なお、以下に示す実施形態は本考案の一例であり、本考案を以下の実施形態に限定するものではない。また、これらの図において、符号１は、本実施形態に係る消火剤放出器具を示す。
【００２３】
図１に示すように、消火剤放出器具１は、内部に消火剤Ｆ（図５参照）が収容された容器部１１と、消火剤Ｆを外部に放出するための放出部１２と、を備えている。
【００２４】
容器部１１は、容器部本体１１ａと、容器部本体１１ａの上方に向かって開口し、放出部１２が着脱可能に取り付けられる開口部１１ｂと、開口部１１ｂを閉じる蓋部１１ｃと、広告表示部１１ｄと、一対の縁枠部１１ｅと、を有している。
【００２５】
容器部本体１１ａは、略長方形のパウチ状に形成された袋体である。
なお、容器部本体１１ａの素材は、アルミニウムや、ポリエチレン等の熱可塑性樹脂が
好適に用いられるが、柔軟性を有していれば、特に限定されない。
【００２６】
開口部１１ｂ及び蓋部１１ｃは、それぞれに形成された雄ねじ及び雌ねじにより、螺合されている。
【００２７】
広告表示部１１ｄは、容器部本体１１ａの一表面に形成され、消火器のイラストや商品名等、任意の図や文字情報等を記載可能である。
【００２８】
一対の縁枠部１１ｅは、逆Ｌ字状をなし、容器部本体１１ａの周縁であって、容器部本体１１ａの各長辺方向に沿って設けられている。これにより、容器部本体１１ａの剛性が高められる。
【００２９】
放出部１２は、その内部が、開口部１１ｂに取付けられる基端から先端に向かうに伴って、先細り形状となされたノズルである。
また、放出部１２の基端の内周面には、蓋部１１ｃと同様に、雌ねじが形成されており、使用者は、蓋部１１ｃを取外し、放出部１２を開口部１１ｂに螺合させることで、容易に、放出部１２を容器部１１に取付けることができる。
なお、本実施形態において、放出部１２は、その外形状も、基端から先端に向かうに伴って、先細り形状となされており、全体としてコーン形状を呈している。
【００３０】
消火剤Ｆは、粉末状であり、ゲル化剤を含んでいる。このような消火剤Ｆは、水を加えることで、１００倍以上の体積の消火液となる。
なお、消火剤Ｆは、水をゲル化する作用を有するものであって、水の消火機能を損なわないものであれば、特段の制限なく用いることができる。また、消火剤Ｆには、ゲル化剤が含まれなくても良い。
また、消火剤Ｆに、重曹やアンモニウム等の吸熱作用を有する物質の粉末を付加することで、消火能力を向上させることが好ましい。
さらに、消火剤Ｆは、必ずしも粉末状とする必要はなく、初めから、ゲル化剤を含んだ液状体としても良い。
【００３１】
ゲル化剤としては、塊を形成する粘弾性を有するもの、水温にかかわらず即座にゲル化するものが好適に用いられる。
このような素材としては、例えば、カラギナン、ペクチン、グアーガム、キサンタンガム等の天然のゲル化剤の他、高分子吸収材料が挙げられる。
また、高分子吸収材料としては、デンプン系、セルロース系、多糖類、ポリビニル系、
アクリル酸系等が好適に用いられる。
中でも、動物が残渣を食べても無害な食用ゲル化剤を用いることで、自然環境に無害な
消火剤Ｆとすることができる。
【００３２】
図２に示すように、消火剤放出器具１は、容器部１１及び放出部１２を収容する収容袋１３を備えている。
【００３３】
収容袋１３は、略透明かつ略長方形状に構成され、その上部が熱圧着部１３ａにより閉じられている。
また、収容袋１３は、その下部が開口しており、下端部１３ｂを折り返して、表面を糊付けすることにより、開口が閉じられている。
さらに、収容袋１３には、熱圧着部１３ａの上部に、不透明なビニール等で形成された持ち手部１３ｄが連接され、持ち手部１３ｄに、丸穴である挿通孔ｈが設けられている。
使用者は、収容袋１３の下端部１３ｂの糊付けを剥がし、下部を開口させることで、容器部１１や放出部１２を、収容袋１３から取出すことができる。
【００３４】
収容袋１３の内部には、略長方形状の用紙Ｐが収容されており、その下端部が、用紙Ｐの短辺方向を折り目として折り曲げられている。
そして、容器部１１は、この折り目上に載置されるように、用紙Ｐと共に収容袋１３に収容されている。
【００３５】
このようにすることで、用紙Ｐの折り曲げた下端部は、消火剤放出器具１の使用方法や任意のメッセージ、広告等を表示する、情報表示部Ｃとして用いることができる。
なお、下端部のみならず、用紙Ｐ全体を情報表示部として用いても良い。
【００３６】
図３に示すように、収容袋１３に収容された容器部１１及び放出部１２は、挿通孔ｈを介して、内部に水が収容された容器Ｗ（本実施形態ではペットボトル）に吊り下げることができる。
【００３７】
このように、本実施形態においては、挿通孔ｈが、容器部１１（及び放出部１２）を、容器Ｗに取付ける取付け手段Ｚとなされている。
なお、取付け手段Ｚは、これに限られず、例えば、容器部１１の周縁等に輪状の紐を設けておき、この紐を取付け手段Ｚとしても良い。
【００３８】
以下、図４及び図５を用いて、消火剤放出器具１の使用方法について説明する。
【００３９】
まず、使用者は、容器部１１及び放出部１２を収容袋１３から取出し、容器部１１の蓋部１１ｃを取外す。
【００４０】
次に、使用者は、開口部１１ｂを介して、容器部１１の内部に、容器Ｗに収容された水を注ぎ込むことで、消火剤Ｆをゲル状とする。
【００４１】
次に、使用者は、放出部１２を、開口部１１ｂを介して、容器部１１に取付けることで、図４に示す状態とする。
【００４２】
次に、使用者は、図４に示す状態となされた容器部１１を片手或いは両手で把持し、放出部１２を火Ｘに向けた後、容器部１１の側面を、把持した手で押圧する。
【００４３】
このようにすることで、図５に示すように、容器部１１内部のゲル状となされた消火剤Ｆが、放出部１２を通過し、火Ｘに向かって射出され、消火が行われる。
【００４４】
本実施形態によれば、放出部１２が、先細り形状となされたノズルであることで、袋体の容器部本体１１ａを押圧するのみで、容易に消火剤Ｆを遠方に射出することができる。
これにより、消火作業を行う使用者は、消火対象の火Ｘと距離を取ることができ、安全に消火作業を行うことが可能となる。
【００４５】
また、消火剤Ｆにゲル化剤が含まれていることで、火がゲルの粘性により消火剤Ｆに包まれるように消火され、また、壁面に向かって消火剤を放出した際、重力で地面に落ちることなく、壁面に付着し残存することから、消火剤放出器具１の消火能力が向上する
【００４６】
また、容器部１１を、内部に水が収容された容器Ｗに取付ける取付け手段Ｚを備えることで、使用者は、火災が発生した際に、迅速に容器部１１の内部に水を注ぎこみ、消火剤放出器具１を用いた消火作業を行うことが可能となる。
【００４７】
また、収容袋１３を備えることで、消火剤放出器具１の、不使用時における持ち運びや収納等の利便性が向上する。
【００４８】
また、取付け手段Ｚが収容袋１３に設けられた挿通孔ｈであることで、使用者は、消火剤放出器具１を、容器部１１や放出部１２をまとめて、その重みでもって、容器Ｗに安定的に吊り下げておくことができる。
【００４９】
なお、上述の実施形態において示した各構成部材の諸形状や寸法等は一例であって、設計要求等に基づき種々変更可能である。
【符号の説明】
【００５０】
１      消火剤放出器具
１１    容器部
１１ａ  容器部本体
１１ｂ  開口部
１１ｃ  蓋部
１１ｄ  広告表示部
１１ｅ  縁枠部
１２    放出部
１３    収容袋
Ｚ      取付け手段
Ｐ      用紙
ｈ      挿通孔
Ｃ      情報表示部
Ｆ      消火剤
Ｗ      容器
Ｘ      火
【図１】
0003231489.tif 000003
【図２】
0003231489.tif 000004
【図３】
0003231489.tif 000005
【図４】
0003231489.tif 000006
【図５】
0003231489.tif 000007